(57)【要約】【課題】包装箱に収容された物品を傷付けることを防止しながら、包装箱を効率的に開封することが可能な包装容器開封装置および包装容器開封方法を提供する。【解決手段】筒状の胴部１０を形成する一対の対向する端面板１１および一対の対向する側面板１２と、端面板１１の開封側の縁部に一対の内側フラップ２０と、側面板１２の開封側の縁部に一対の外側フラップ３０とを有し、内側フラップ２０が内側に折り曲げられたあと、外側フラップ３０が内側フラップ２０に重なる態様で内側に折り曲げられることにより胴部１０の開封側の開口部１３が閉蓋された包装箱１を開封する装置である。包装箱１を切断する切断部１３０と、切断部１３０を制御する制御部１４０とを備える。切断部１３０は、制御部１４０の命令に従って、外側フラップ３０を貫通し、かつ内側フラップ２０を貫通しない深さで、内側フラップ２０の縁部に沿って外側フラップ３０を切断する。【選択図】図１
2019001519.tif 000002
【特許請求の範囲】
【請求項１】
筒状の胴部を形成する一対の対向する端面板および一対の対向する側面板と、前記端面板の開封側の縁部にそれぞれ連続する一対の内側フラップと、前記側面板の開封側の縁部にそれぞれ連続する一対の外側フラップとを有し、前記内側フラップが内側に折り曲げられたあと、前記外側フラップが前記内側フラップに重なる態様で内側に折り曲げられるとともに、前記内側フラップと前記外側フラップが互いに接着されることにより前記胴部の開封側の開口部が閉蓋された包装箱を開封する包装箱開封装置であって、
包装箱を切断する切断部と、該切断部を制御する制御部とを備え、
前記切断部は、前記制御部の命令に従って、前記外側フラップを貫通し、かつ前記内側フラップを貫通しない深さで、前記内側フラップの縁部に沿って前記外側フラップを切断することを特徴とする包装箱開封装置。
【請求項２】
前記切断部は、前記内側フラップの縁部の内側部分における前記外側フラップを切断する請求項１に記載の包装箱開封装置。
【請求項３】
前記切断部は、刃物と、該刃物を保持する保持部材と、前記刃物の周囲に設けられたガイド部材とを有し、前記刃物は下式を満たす請求項１または請求項２に記載の包装箱開封装置。
Ｔ１≦Ｈ≦Ｔ１+Ｔ２
Ｈ：刃物がガイド部材から突出する長さ
Ｔ１：外側フラップの厚み
Ｔ２：内側フラップの厚み
【請求項４】
前記胴部の中央部に位置する切断後の一対の前記外側フラップと、前記胴部の両側部に位置する前記内側フラップが接着された状態の切断後の前記外側フラップとを開くことにより前記包装箱を開封する開封機構が設けられている請求項１から請求項３のいずれかに記載の包装箱開封装置。
【請求項５】
筒状の胴部を形成する一対の対向する端面板および一対の対向する側面板と、前記端面板の開封側の縁部にそれぞれ連続する一対の内側フラップと、前記側面板の開封側の縁部にそれぞれ連続する一対の外側フラップとを有し、前記内側フラップが内側に折り曲げられたあと、前記外側フラップが前記内側フラップに重なる態様で内側に折り曲げられるとともに、前記内側フラップと前記外側フラップが互いに接着されることにより前記胴部の開封側の開口部が閉蓋された包装箱を開封する包装箱開封方法であって、
切断部により、前記外側フラップを貫通し、かつ前記内側フラップを貫通しない深さで、前記内側フラップの縁部に沿って前記外側フラップを切断することを特徴とする包装箱開封方法。
【請求項６】
前記内側フラップの先端側の縁部に沿って前記外側フラップを切断する工程と、
前記内側フラップの一方の側端側の縁部に沿って前記外側フラップを切断する工程と、
前記内側フラップの他方の側端側の縁部に沿って前記外側フラップを切断する工程とを備える請求項５に記載の包装箱開封方法。
【請求項７】
前記内側フラップの一方または他方の側端側の縁部に沿って前記外側フラップを切断する工程において、一方の端面板から一方の内側フラップの先端側の縁部に向かって前記外側フラップを切断し、前記外側フラップの中央部を切断することなく上方を通過したあと、他方の内側フラップの先端側の縁部から他方の端面板に向かって前記外側フラップを切断する請求項６に記載の包装箱開封方法。
【発明の詳細な説明】
【技術分野】
【０００１】
本発明は、外側フラップと内側フラップが互いに接着されることにより閉蓋された段ボール箱などの包装箱を開封する包装箱開封装置および包装箱開封方法に関する。
【背景技術】
【０００２】
一般に、物流の分野において、種々の物品を例えば段ボール箱に収容して輸送することが行われている。この段ボール箱は、四角筒状の胴部を形成する一対の対向する端面板および一対の対向する側面板と、前記端面板の縁部にそれぞれ連続する一対の内側フラップと、前記側面板の縁部にそれぞれ連続する一対の外側フラップとを有している。そして、特に業務用の段ボール箱では、通常、内側フラップが内側に折り曲げられたあと、外側フラップが内側フラップに重なる態様で内側に折り曲げられるとともに、内側フラップと外側フラップが互いに接着されることにより胴部の開口部が閉蓋される。
【０００３】
従来、このような種類の段ボール箱において、収容された物品を取り出すために開封する場合、胴部の開口部の周縁部分を刃物を用いて切断することが行われていた（例えば、特許文献１参照）
【先行技術文献】
【特許文献】
【０００４】
【特許文献１】特開２００１−４７３９１号公報
【発明の概要】
【発明が解決しようとする課題】
【０００５】
しかしながら、従来の段ボール箱の切断では、外側フラップを貫通させるとともに、内側フラップも完全に貫通させながら切断するため、段ボール箱に収容された物品を刃物により傷付ける虞があるという問題があった。
【０００６】
また、段ボール箱の外側フラップや内側フラップは物品を保護するために所定の厚みを有しているため、両フラップを完全に貫通させて切断すると、刃物に切断負荷がかかって高速切断を行うことが難しいという問題があった。
【０００７】
また、大量の段ボール箱に対して刃物に大きな切断負荷をかけながら開封すると、刃物がすぐに摩耗してしまい、刃物の交換頻度が高くなるという問題があった。
【０００８】
また、段ボール箱に収容された物品を取り出すためには、段ボール箱から切断したフラップを胴部から取り外したあと、当該フラップを廃棄したり、保持したり、あるいは別の箇所に移載したりと、取り外したフラップに対して何らかの処理を物品の取り出しと同時に行う必要があるという問題があった。
【０００９】
このような問題は、段ボール箱のみならず、物品が収容されるその他の材質の包装箱にも同様に生じるものである。
【００１０】
本発明は、上述の問題に鑑みてなされたものであり、包装箱に収容された物品を傷付けることを防止しながら、包装箱を効率的に開封することが可能な包装容器開封装置および包装容器開封方法を提供することを目的とする。
【課題を解決するための手段】
【００１１】
本発明に係る包装箱開封装置は、上記目的を達成するために、筒状の胴部を形成する一対の対向する端面板および一対の対向する側面板と、前記端面板の開封側の縁部にそれぞれ連続する一対の内側フラップと、前記側面板の開封側の縁部にそれぞれ連続する一対の外側フラップとを有し、前記内側フラップが内側に折り曲げられたあと、前記外側フラップが前記内側フラップに重なる態様で内側に折り曲げられるとともに、前記内側フラップと前記外側フラップが互いに接着されることにより前記胴部の開封側の開口部が閉蓋された包装箱を開封する包装箱開封装置であって、包装箱を切断する切断部と、該切断部を制御する制御部とを備え、前記切断部は、前記制御部の命令に従って、前記外側フラップを貫通し、かつ前記内側フラップを貫通しない深さで、前記内側フラップの縁部に沿って前記外側フラップを切断することを特徴とする。なお、本発明において、内側フラップの縁部とは、内側フラップの縁端面と、内側フラップおよび外側フラップの接着箇所との間の部分をいうものとする。
【００１２】
これによれば、包装箱の開封に際して、外側フラップを貫通し、かつ内側フラップを貫通しない深さで外側フラップを切断しながら包装箱を開封するため、包装箱に収容された物品を刃物等により傷付けることを防止することができる。
【００１３】
また、両フラップを完全に貫通させて切断しないため、刃物にかかる切断負荷を軽減することができ、高速切断を行い易くなる。
【００１４】
また、大量の包装箱を開封しても、刃物の摩耗を軽減することができ、刃物の交換頻度が少なくなる。
【００１５】
また、切断したフラップは胴部に繋がった状態であるため、フラップに対して何らかの処理を物品の取出しと同時に行う必要がなくなる。
【００１６】
また、前記切断部は、前記内側フラップの縁部の内側部分における前記外側フラップを切断するのが好ましい。これによれば、包装箱に収容された物品を刃物等により傷付けることを確実に防止することができる。
【００１７】
また、前記切断部は、刃物と、該刃物を保持する保持部材と、刃物の周囲に設けられたガイド部材とを有し、前記刃物は下式を満たしてもよい。
Ｔ１≦Ｈ≦Ｔ１+Ｔ２
Ｈ：刃物がガイド部材から突出する長さ
Ｔ１：外側フラップの厚み
Ｔ２：内側フラップの厚み
【００１８】
これによれば、外側フラップを貫通し、かつ内側フラップを貫通しない深さで外側フラップを確実に切断することができる。
【００１９】
また、前記胴部の中央部に位置する切断後の一対の前記外側フラップと、前記胴部の両側部に位置する前記外側フラップが接着された状態の切断後の前記内側フラップを開くことにより前記包装箱を開封する開封機構が設けられていてもよい。これによれば、包装箱をより一層効率的に開封することができる。
【００２０】
また、本発明に係る包装箱開封方法は、筒状の胴部を形成する一対の対向する端面板および一対の対向する側面板と、前記端面板の開封側の縁部にそれぞれ連続する一対の内側フラップと、前記側面板の開封側の縁部にそれぞれ連続する一対の外側フラップとを有し、前記内側フラップが内側に折り曲げられたあと、前記外側フラップが前記内側フラップに重なる態様で内側に折り曲げられるとともに、前記内側フラップと前記外側フラップが互いに接着されることにより前記胴部の開封側の開口部が閉蓋された包装箱を開封する包装箱開封方法であって、切断部により、前記外側フラップを貫通し、かつ前記内側フラップを貫通しない深さで、前記内側フラップの縁部に沿って前記外側フラップを切断することを特徴とする。
【００２１】
また、前記内側フラップの先端側の縁部に沿って前記外側フラップを切断する工程と、前記内側フラップの一方の側端側の縁部に沿って前記外側フラップを切断する工程と、前記内側フラップの他方の側端側の縁部に沿って前記外側フラップを切断する工程とを備えてもよい。これによれば、３軸方向から包装箱を効率的に開封することができる。
【００２２】
また、前記内側フラップの一方または他方の側端側の縁部に沿って前記外側フラップを切断する工程において、一方の端面板から一方の内側フラップの先端側の縁部に向かって前記外側フラップを切断し、前記外側フラップの中央部を切断することなく上方を通過したあと、他方の内側フラップの先端側の縁部から他方の端面板に向かって前記外側フラップを切断してもよい。これによれば、内側フラップの一方または他方の側端側の縁部に沿って前記外側フラップを効率的に切断することができる。
【発明の効果】
【００２３】
本発明によれば、包装箱の開封に際して、外側フラップを貫通し、かつ内側フラップを貫通しない深さで外側フラップを切断しながら包装箱を開封するため、包装箱に収容された物品を刃物等により傷付けることを防止することができる。
【００２４】
また、両フラップを完全に貫通させて切断しないため、刃物にかかる切断負荷を軽減することができ、高速切断を行い易くなる。
【００２５】
また、大量の包装箱を開封しても、刃物の摩耗を軽減することができ、刃物の交換頻度が少なくなる。
【００２６】
また、切断したフラップは胴部に繋がった状態であるため、フラップに対して何らかの処理を物品の取出しと同時に行う必要がなくなる。
【００２７】
而して、包装箱に収容された物品を傷付けることを防止しながら、包装箱を効率的に開封することが可能となる。
【図面の簡単な説明】
【００２８】
【図１】本実施形態に係る包装箱開封装置の構成概略図である。
【図２】閉蓋された段ボール箱の斜視図である。
【図３】図２の段ボール箱の平面図である。
【図４】図３の段ボール箱の断面矢視図である。
【図５】図２の段ボール箱の組立方法を示す図である。
【図６】図２のダンボル箱の開封方法を示す図である。
【図７】刃物による段ボール箱の切断状態を示す（ａ）側方断面図、（ｂ）正面断面図である。
【図８】図１の包装箱開封装置の電気的構成を示すブロック図である。
【発明を実施するための形態】
【００２９】
次に、本発明に係る包装箱開封装置（以下、本装置１００という）の実施形態について図１〜図８を参照しつつ説明する。
【００３０】
本実施形態では、開封する包装箱として、例えば、図２に示す段ボール箱１を対象とする。
【００３１】
この段ボール箱１は、四角筒状の胴部１０を形成する一対の対向する端面板１１、１１および一対の対向する側面板１２、１２と、前記端面板１１の縁部にそれぞれ連続する一対の内側フラップ２０、２０と、前記側面板１２の縁部にそれぞれ連続する一対の外側フラップ３０、３０とを有している。これら一対の内側フラップ２０、２０と一対の外側フラップ３０、３０は、段ボール箱１の天面側（開封側）と底面側（載置側）にそれぞれ設けられている。
【００３２】
また、この段ボール箱１の組み立てに際しては、図５（ａ）に示すように、一対の端面板１１同士と一対の側面板１２同士がそれぞれ対向するように四角筒状の胴部１０が形成される。
【００３３】
次に、図５（ｂ）に示すように、段ボール箱１の底面側の内側フラップ２０が内側に折り曲げられたあと、外側フラップ３０が内側フラップ２０に重なる態様で内側に折り曲げられるとともに、内側フラップ２０と外側フラップ３０が接着剤等により部分的に互いに接着されることにより、底面側の開口部１３が閉蓋された状態となる。
【００３４】
そして、物品が他方の開口部１３から収容されると、図５（ｃ）に示すように、段ボール箱１の天面側の内側フラップ２０が内側に折り曲げられたあと、外側フラップ３０が内側フラップ２０に重なる態様で内側に折り曲げられるとともに、内側フラップ２０と外側フラップ３０が接着剤等により部分的に互いに接着されることにより、天面側の開口部１３が閉蓋された状態となる。
【００３５】
なお、本実施形態では、図３に示すように、段ボール箱１の天面および底面の隅部に位置する４つの接着箇所４０において、内側フラップ２０と外側フラップ３０が部分的に互いに接着される。
【００３６】
本装置１００は、図１に示すように、複数のフレームからなる基台１１０と、該基台１１０に設けられた搬送部１２０と、該搬送部１２０の上方に設けられた切断部１３０と、搬送部１２０および切断部１３０を制御する制御部１４０とを備える。
【００３７】
前記基台１１０は、平面視四角形状の基本フレーム１１１と、基本フレーム１１１の４箇所の角部から下方に垂下する４本の脚フレーム１１２と、基本フレーム１１１の奥側の角部から上方に立設する２本の支柱フレーム１１３とからなり、基本フレーム１１１に搬送部１２０が設けられるとともに、支柱フレーム１１３に切断部１３０が設けられている。
【００３８】
前記搬送部１２０は、搬送方向に垂直な方向に延びる軸回転可能な複数のローラ１２１からなり、各ローラ１２１が基本フレーム１１１内において搬送方向に沿って平行に配置されている。このため、段ボール箱１が搬送方向の左側から搬送されてくると、各ローラ１２１の回転作用により段ボール箱１を搬送方向の右側に搬送するものとなされている。
【００３９】
なお、搬送部１２０の搬送方向に垂直な幅方向の両側部には、規制部材１２２が設けられており、搬送されてきた段ボール箱１の幅方向の移動を規制するようになっている。また、搬送部１２０の搬送方向の右側にはストッパー部材１２３が設けられており、搬送されてきた段ボール箱１の搬送方向の移動を規制するようになっている。
【００４０】
前記切断部１３０は、図１に示すように、２本の支柱フレーム１１３の上部に設けられた支持板１３１と、該支持板１３１に設けられたＸ軸部材１３２と、該Ｘ軸部材１３２に設けられたＹ軸部材１３３と、該Ｙ軸部材１３３に設けられたＺ軸部材１３４と、該Ｚ軸部材１３４の下端部に設けられた刃物部１３５とを備える。なお、図７において、刃物部１３５の刃物１３５ａの切断方向は、図７（ａ）の左右方向および図７（ｂ）の正対方向が切断方向となる。
【００４１】
このうち、Ｘ軸部材１３２は、制御部１４０の命令に従って、支持板１３１に対して駆動機構１３６を介して支柱フレーム１１３の間をＸ軸方向に移動する。また、Ｙ軸部材１３３は、Ｘ軸部材１３２の中央部からＹ軸の手前側に延びる態様で立設されている。さらに、Ｚ軸部材１３４は、制御部１４０の命令に従って、Ｙ軸部材１３３に対してＹ軸方向に移動したり、Ｙ軸部材１３３に対してＺ軸方向に昇降したり、Ｚ軸周りに軸回転する。このため制御部１４０の命令に従って、Ｘ軸部材１３２がＸ軸方向に移動したり、Ｚ軸部材１３４がＹ軸方向に移動またはＺ軸方向に昇降あるいはＺ軸周りに軸回転することにより、Ｚ軸部材１３４の下端部に設けられた刃物部１３５が搬送部１２０の上方においてＸ軸方向、Ｙ軸方向およびＺ軸方向に自在に移動したり、Ｚ軸周りに軸回転して刃先方向を変更することができる。
【００４２】
また、刃物部１３５は、図７に示すように、超音波振動式の刃物１３５ａと、刃物１３５ａを保持する保持部材１３５ｂと、刃物１３５ａの切断方向の両側に設けられたガイド部材１３５ｃとを備える。この刃物１３５ａは、ガイド部材１３５ｃの下端面よりも所定の突出長さＨで下方に突出した状態で保持部材１３５ｂに保持されている。この刃物１３５ａの突出長さＨは、下式に示すように、通常、外側フラップ３０の厚みＴ１以上の長さであり、かつ外側フラップ３０の厚みＴ１と内側フラップ２０の厚みＴ２との和（Ｔ１+Ｔ２）以下の長さに設定されている。
[式]Ｔ１≦Ｈ≦Ｔ１+Ｔ２
【００４３】
これにより、段ボール箱１の外側フラップ３０を切断する際、ガイド部材１３５ｃが外側フラップ３０の表面に当接することにより、刃物１３５ａが外側フラップ３０を貫通し、かつ内側フラップ２０を貫通しない深さで外側フラップ３０を切断することができる。
【００４４】
前記制御部１４０は、上述のように搬送部１２０および切断部１３０を制御するものである。例えば、制御部１４０は、搬送部１２０を制御することにより段ボール箱１を切断部１３０の下方の所定箇所まで搬送する。また、Ｘ軸部材１３２のＸ軸方向の移動、Ｚ軸部材１３４のＹ軸方向の移動およびＺ軸方向の昇降並びにＺ軸周りの軸回転を制御することにより、後で詳述するように搬送されてきた段ボール箱１の天面側の外側フラップ３０を切断する。このとき、制御部１４０は、切断部１３０の刃物１３５ａが外側フラップ３０を貫通するが、内側フラップ２０を貫通しない深さで、内側フラップ２０の縁部に沿って外側フラップ３０を切断するようにＸ軸部材１３２の移動、Ｚ軸部材１３４の移動および昇降並びにＺ軸周りの軸回転を制御する。
【００４５】
次に、本装置１００による段ボール箱１の開封方法について、図６を参照しつつ説明する。なお、以下の説明において、「ステップ」を「Ｓ」と略記する。
【００４６】
図６（ａ）に示すように、搬送部１２０により段ボール箱１が切断部１３０の下方の所定箇所まで搬送されてくる。このとき、段ボール箱１は、上述のように内側フラップ２０および外側フラップ３０が折り曲げられて互いに接着されることにより天面側の開口部１３が閉蓋された状態となっているが、切断ステップＳ１〜Ｓ４において天面側の外側フラップ３０が切断される。なお、切断に際しては、切断方向に対して刃物部１３５の刃物１３５ａの刃先が向くように、制御部１４０によりＺ軸部材１３４のＺ軸周りの軸回転が制御される。
【００４７】
まず、図６（ｂ）の一点鎖線（切断線）に示すように、切断部１３０が、外側フラップ３０を貫通し、かつ内側フラップ２０を貫通しない深さで、一方の内側フラップ２０の先端側の縁部に沿って外側フラップ３０を切断する（Ｓ１）。
【００４８】
次に、図６（ｃ）の一点鎖線（切断線）に示すように、切断部１３０が、外側フラップ３０を貫通し、かつ内側フラップ２０を貫通しない深さで、他方の内側フラップ２０の先端側の縁部に沿って外側フラップ３０を切断する（Ｓ２）。
【００４９】
なお、上記Ｓ１およびＳ２のステップにおいて、切断部１３０は、内側フラップ２０の先端側の縁部の内側部分、より具体的には内側フラップ２０の先端側の縁端面２０ａと、内側フラップ２０と外側フラップ３０の接着箇所４０との間の部分において、一対の外側フラップ３０を一方の側面板１２から他方の側面板１２に向かって直線的に切断する。
【００５０】
次に、図６（ｄ）の一点鎖線（切断線）に示すように、切断部１３０が、外側フラップ３０を貫通し、かつ内側フラップ２０を貫通しない深さで、内側フラップ２０の一方の側端側の縁部に沿って一方の外側フラップ３０を切断する（Ｓ３）。
【００５１】
また、図６（ｅ）の一点鎖線（切断線）に示すように、切断部１３０が、外側フラップ３０を貫通し、かつ内側フラップ２０を貫通しない深さで、内側フラップ２０の他方の側端側の縁部に沿って他方の外側フラップ３０を切断する（Ｓ４）。
【００５２】
なお、上記Ｓ３およびＳ４のステップにおいて、切断部１３０は、内側フラップ２０の側端側の縁部の内側部分、より具体的には内側フラップ２０の側端側の縁端面２０ｂと、内側フラップ２０と外側フラップ３０の接着箇所４０との間の部分において、一方の端面板１１から一方の内側フラップ２０の先端側の縁部に向かって外側フラップ３０を直線的に切断し、外側フラップ３０から抜かれることにより外側フラップ３０の中央部分を切断することなく上方を通過したあと、再び他方の内側フラップ２０の先端側の縁部から他方の端面板１１に向かって外側フラップ３０を直線的に切断する。
【００５３】
而して、図６（ｆ）に示すように、胴部１０の両側部において、外側フラップ３０を貫通し、かつ内側フラップ２０を貫通しない深さであって、内側フラップ２０の縁端面２０ａ、２０ｂの輪郭形状（コ字状）の切断線Ｋで外側フラップ３０を切断したことになる。このとき、胴部１０の中央部に位置する切断後の一対の外側フラップ３０Ａは、側面板１２の縁部に繋がった状態になっている。また、胴部１０の両側部に位置する切断後の外側フラップ３０Ｂは、内側フラップ２０に接着された状態で端面板１１の縁部に繋がった状態になっている。
【００５４】
次に、図６（ｇ）に示すように、胴部１０の中央部に位置する切断後の一対の外側フラップ３０Ａを図示略の開封機構等により開いたあと、図６（ｈ）に示すように、胴部１０の両側部に位置する内側フラップ２０が接着された状態の切断後の外側フラップ３０Ｂを開封機構等により開くと、段ボール箱１の天面側の開口部１３を開封することができ、段ボール箱１の内部に収容された物品を取り出すことが可能となる。
【００５５】
このように、段ボール箱１の開封に際して、外側フラップ３０を貫通し、かつ内側フラップ２０を貫通しない深さで外側フラップ３０を切断しながら段ボール箱１を開封するため、段ボール箱１に収容された物品を刃物１３５ａ等により傷付けることを防止することができる。
【００５６】
また、両フラップ２０、３０を完全に貫通させて切断しないため、刃物１３５ａにかかる切断負荷を軽減することができ、高速切断を行い易くなる。
【００５７】
また、大量の段ボール箱１を開封しても、刃物１３５ａの摩耗を軽減することができ、刃物１３５ａの交換頻度が少なくなる。
【００５８】
また、切断した外側フラップ３０Ａ、３０Ｂは胴部１０に繋がった状態であるため、外側フラップ３０Ａ、３０Ｂに対して何らかの処理を物品の取出しと同時に行う必要がなくなる。
【００５９】
而して、段ボール箱１に収容された物品を傷付けることを防止しながら、段ボール箱１を効率的に開封することができる。
【００６０】
なお、本実施形態では、内側フラップ２０の縁部に沿って外側フラップ３０を切断するに際して、内側フラップ２０の縁端面２０ａ、２０ｂの輪郭形状に合わせて外側フラップ３０を直線的に切断したが、曲線的に切断したり、その他の切断線で外側フラップ３０を切断してもよい。
【００６１】
また、内側フラップ２０の縁部の内側部分における外側フラップ３０を切断するものとしたが、内側フラップ２０の縁部に沿うのであれば、段ボール箱１に収容する物品によっては、内側フラップ２０の縁部の外側部分における外側フラップ３０を切断してもよい。
【００６２】
また、外側フラップ３０の切断ステップは、上述のものに限定されるものではなく、内側フラップ２０の縁部に沿って外側フラップ３０を切断するものであれば、どのような切断ステップであってもよい。
【００６３】
また、前記切断部１３０は、超音波振動式の刃物１３５ａにより外側フラップ３０を切断するものとしたが、その他の方式の刃物、あるいは刃物以外のレーザなどで外側フラップ３０を切断してもよい。
【００６４】
また、前記切断部１３０は、ガイド部材１３５ｃが外側フラップ３０に当接することを利用することにより刃物１３５ａの切断深さを設定する方法を採用したが、刃物１３５ａをあらかじめ設定された切断深さで移動させる方法や、外側フラップ３０の表面をセンサ等で検出して、刃物１３５ａの切断深さを適宜制御する方法などであってもよい。
【００６５】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６６】
１…段ボール箱
１０…胴部
１１…端面板
１２…側面板
１３…開口部
２０…内側フラップ
３０…外側フラップ
４０…接着箇所
１００…本装置
１１０…基台
１１１…基本フレーム
１１２…脚フレーム
１１３…支柱フレーム
１２０…搬送部
１２１…ローラ
１２２…規制部材
１２３…ストッパー部材
１３０…切断部
１３１…支持板
１３２…Ｘ軸部材
１３３…Ｙ軸部材
１３４…Ｚ軸部材
１３５…刃物部
１３５ａ…刃物
１３５ｂ…保持部材
１３５ｃ…ガイド部材
１３６…駆動機構
１４０…制御部
【図１】
2019001519.tif 000003
【図２】
2019001519.tif 000004
【図３】
2019001519.tif 000005
【図４】
2019001519.tif 000006
【図５】
2019001519.tif 000007
【図６】
2019001519.tif 000008
【図７】
2019001519.tif 000009
【図８】
2019001519.tif 000010